(57)【要約】【課題】液体容器内の液体をこぼしてしまった場合でも、床等を汚してしまうという虞の少ない液体吸引装置を提供する。【解決手段】真空ポンプを有する装置本体１と、真空ボンプに接続される気体吸引路７と、気体吸引路７に接続される液体容器８と、液体容器８に接続される液体吸引路９とを有する液体吸引装置において、装置本体１に上方が開放した凹所１９を形成し、凹所１９に受部材２０を着脱自在に取り付けると共に、受部材２０に対して液体容器８を設置可能に構成したことで、誤って液体容器８内の液体をこぼしてしまっても、液体が受部材２０或いは凹所１９に溜まるので、液体で床を汚してしまう虞を少なくすることができる。【選択図】　　図１
2004016736.tif 000002
【特許請求の範囲】
【請求項１】
真空ポンプを有する装置本体と、前記真空ポンプに接続される気体吸引路と、この気体吸引路に接続される液体容器と、この液体容器に接続される液体吸引路とを有する液体吸引装置において、前記装置本体に上方が開放した凹所を形成し、この凹所に受部材を着脱自在に取り付けると共に、この受部材に対して前記液体容器を設置可能に構成したことを特徴とする液体吸引装置。
【請求項２】
前記気体吸引路が、装置本体に設けられた接続部と、前記真空ポンプと接続部を接続する内部吸引路と、前記接続部及び液体容器を着脱自在に接続する外部吸引路とで構成されていることを特徴とする請求項１記載の液体吸引装置。
【請求項３】
前記受部材の上方を覆う蓋体を設けると共に、この蓋体で受部材を覆った際に、前記接続部も同時に覆われるように構成したことを特徴とする請求項２記載の液体吸引装置。
【請求項４】
前記受部材が段状部を有し、前記受部材を前記凹所に取り付けた際に前記接続部を避けるように、前記段状部に切欠部を形成すると共に、前記蓋体が段状部に載るように構成したことを特徴とする請求項３記載の液体吸引装置。
【請求項５】
前記装置本体に把持部を設け、この把持部に掛部を形成すると共に、この掛部と係合して前記装置本体及び受部材に前記蓋体を固定するための係合部を前記蓋体に形成したことを特徴とする請求項４記載の液体吸引装置。
【請求項６】
前記受部材に前記液体容器を設置する設置凹部を形成すると共に、この設置凹部に前記液体容器を設置した際にこの液体容器の重心が前記受部材の上面よりも下方となるように前記設置凹部の深さを設定したことを特徴とする請求項１記載の液体吸引装置。
【請求項７】
前記受部材を貯水可能な器状に形成したことを特徴とする請求項１記載の液体吸引装置。
【請求項８】
前記受部材の最下端が略面一であると共に、この受部材の最下端によって規定される範囲の上方に重心があるように前記受部材を形成したことを特徴とする請求項１記載の液体吸引装置。
【発明の詳細な説明】
【０００１】
【発明が属する技術分野】
本発明は真空ポンプによって液体を吸引し、この吸引された液体を液体容器に溜める液体吸引装置に関するものであり、特に家庭等で用いられる比較的小型のものに関する。
【０００２】
【発明が解決しようとする課題】
従来、この種の液体吸引装置としては、例えば特開２０００―１３９９６３号公報等に記載されているものが知られている。これは、口腔内の清掃を行う装置であり、バキュームポンプ（真空ポンプ）を内蔵した本体（装置本体）にタンク（液体容器）を載置し、このタンクとバキュームポンプを接続口（気体吸引路）で接続すると共に、前記タンクにホース（液体吸引路）を接続し、バキュームポンプを駆動することで接続口を経てタンク内を減圧し、これによってホース先端に取り付けた吸引チップや歯ブラシから口腔内の液体を吸引してタンクに溜めるものである。そして、これらの液体吸引装置は、使用後、タンク内に溜まった液体が洗面所等に捨てられる。なお、これらの液体吸引装置は、本体内にバキュームポンプ等の電気的要素が内蔵されているため重く、また水がかからないようにする必要があるため、タンクを本体から取り外してタンクだけを洗面所等に持っていくのが一般的であった。また、使用後にはホースをタンクから取り外して本体内に収容していた。
【０００３】
しかしながら、これらの液体吸引装置は、使用中に誤ってタンクから液体がこぼれてしまった場合など、床等を汚してしまう虞があった。また、溜まった液体を捨てる場合、歩行時の揺れや衝撃等でタンク内の液体がこぼれてしまい、手や床を汚してしまう虞があった。
【０００４】
本発明は以上の問題点を解決し、使用状態で誤って液体容器内の液体をこぼしてしまった場合でも、こぼれた液体によって床等を汚してしまうという虞の少ない液体吸引装置を提供することを目的とする。また、液体容器に溜まった液体を捨てる際に、液体容器内の液体がこぼれにくく、こぼれたとしても手や床等を汚してしまう虞の少ない液体吸引装置を提供することを目的とする。
【０００５】
【課題を解決するための手段】
本発明の請求項１に記載の液体吸引装置は、真空ポンプを有する装置本体と、前記真空ポンプに接続される気体吸引路と、この気体吸引路に接続される液体容器と、この液体容器に接続される液体吸引路とを有する液体吸引装置において、前記装置本体に上方が開放した凹所を形成し、この凹所に受部材を着脱自在に取り付けると共に、この受部材に対して前記液体容器を設置可能に構成したものである。
【０００６】
本発明は以上のように構成することにより、液体を吸引する場合には、装置本体の凹所に受部材を取り付け、この受部材に液体容器を設置し、この液体容器に気体吸引路を接続し、更に液体容器に液体吸引路を接続した後、真空ポンプを駆動することで、液体吸引路から吸引された液体が液体容器に溜まる。この時、誤って液体容器内の液体をこぼしてしまっても、液体が受部材或いは凹所に溜まることになる。そして、溜まった液体を捨てる場合には、気体吸引路を液体容器から取り外すと共に受部材を装置本体から取り外し、受部材を持って洗面所等まで行き、液体容器内の液体を捨てる。
【０００７】
また、本発明の請求項２に記載の液体吸引装置は、請求項１において、前記気体吸引路が、装置本体に設けられた接続部と、前記真空ポンプと接続部を接続する内部吸引路と、前記接続部及び液体容器を着脱自在に接続する外部吸引路とで構成されているものである。
【０００８】
本発明は以上のように構成することにより、外部吸引路を接続部に接続することで、液体容器と真空ポンプを接続する気体吸引路が形成される。
【０００９】
また、本発明の請求項３に記載の液体吸引装置は、請求項２において、前記受部材の上方を覆う蓋体を設けると共に、この蓋体で前記受部材を覆った際に、前記接続部も同時に覆われるように構成したものである。
【００１０】
本発明は以上のように構成することにより、非使用時に、外部吸引路を接続部に接続した状態のまま、蓋体で液体容器が覆われる。
【００１１】
また、本発明の請求項４に記載の液体吸引装置は、請求項３において、前記受部材が段状部を有し、前記受部材を前記凹所に取り付けた際に前記接続部を避けるように、前記段状部に切欠部を形成すると共に、前記蓋体が段状部に載るように構成したものである。
【００１２】
本発明は以上のように構成することにより、蓋体を受部材の段状部に載せることで、外部吸引路が接続された状態の液体容器が蓋体で覆われる。
【００１３】
また、本発明の請求項５に記載の液体吸引装置は、請求項４において、前記装置本体に把持部を設け、この把持部に掛部を形成すると共に、この掛部と係合して前記装置本体及び受部材に前記蓋体を固定するための係合部を前記蓋体に形成したものである。
【００１４】
本発明は以上のように構成することにより、把持部に形成された掛部を蓋体の係合部と係合させることで、蓋体が装置本体に固定される。
【００１５】
また、本発明の請求項６に記載の液体吸引装置は、請求項１において、前記受部材に前記液体容器を設置する設置凹部を形成すると共に、この設置凹部に前記液体容器を設置した際にこの液体容器の重心が前記受部材の上面よりも下方となるように前記設置凹部の深さを設定したものである。
【００１６】
本発明は以上のように構成することにより、受部材を持って歩行した時に身体が揺れたとしても、設置凹部に設置された液体容器の重心が受部材の上面よりも低いため液体容器が揺れにくく、また、歩行によって衝撃が生じたとしても、液体容器が倒れにくくなる。
【００１７】
また、本発明の請求項７に記載の液体吸引装置は、請求項１において、前記受部材を貯水可能な器状に形成したものである。
【００１８】
本発明は以上のように構成することにより、液体容器から液体をこぼしてしまったとしても、このこぼれた液体が受部材によって受けられる。
【００１９】
更に、本発明の請求項８に記載の液体吸引装置は、請求項１において、前記受部材の最下端が略面一であると共に、この受部材の最下端によって規定される範囲の上方に重心があるように前記受部材を形成したものである。
【００２０】
本発明は以上のように構成することにより、受部材が自立可能である。
【００２１】
【発明の実施形態】
以下、本発明の液体吸引装置の実施形態について、図１乃至図５に基づいて説明する。１は装置本体である。この装置本体１は上筐体２と下筐体３によって前後方向に長く形成されている。また、前記装置本体１の左右方向に回動軸４を有するように、把持部５が上筐体２に対して回動自在に取り付けられている。この把持部５は、略垂直に立った状態から一端側たる前方に倒れた状態の間で、回動軸４周りに回動可能である。
【００２２】
装置本体１の前側内部には、直流式の真空ポンプ６が設けられ、この真空ポンプ６には、樹脂製の透明チューブからなる気体吸引路７を介して液体容器８が接続されている。そして、液体容器８には、樹脂製の透明チューブからなる液体吸引路９を介して歯ブラシ１０が接続している。また、歯ブラシ１０のブラシの部分には、図示しない孔が設けられている。なお、装置本体１の上面には、真空ポンプ６と図示しない樹脂製の透明チューブからなる内部吸引路を介して接続される接続部１１が設けられている。そして、気体吸引路７は図示しない内部吸引路と外部吸引路７ａとから構成され、外部吸引路７ａの両端にはそれぞれ接続部ジョイント１２と液体容器ジョイント１３とが設けられ、接続部１１と接続部ジョイント１２、液体容器８の内蓋１４に設けられた気体吸引口１５と液体容器ジョイント１３が、それぞれ着脱可能に接続されている。また、液体吸引路９の一端には液体容器ジョイント１６が設けられ、液体容器８の内蓋１４に設けられた液体吸引口１７と液体容器ジョイント１６が着脱可能に接続されている。なお、内蓋１４は、ねじ込み式のリング体１８によって液体容器８に固定されている。また、液体吸引口１７は、気体吸引口１５よりも長い管状に形成されている。
【００２３】
装置本体１には上方が開放した凹所１９が形成されており、この凹所１９に貯水可能な器状に形成された受部材２０が着脱自在に載置されることで取り付けられている。受部材２０には、後側に略円柱状の設置凹部２１、前側にこの設置凹部２１よりも小さい略円柱状の中程度の大きさの２つの凹部２２，２３及びさらに小さい凹部２４が設けられている。そして、設置凹部２１の形状は液体容器８の形状に対応しており、この凹部２１に液体容器８が設置可能に構成されている。また、凹部２２の形状はコップ２５の形状に対応しており、この凹部２２にはコップ２５が設置可能になっている。また、この設置凹部２１に液体容器８を設置した際にこの液体容器８の重心が受部材２０の上面２０ａよりも下方となるように設置凹部２１の深さが設定されている。さらに、受部材２０の最下端２０ｂは略面一となっており、受部材２０は、この受部材２０の最下端２０ｂによって規定される範囲の上方に重心があるように形成されている。
【００２４】
受部材２０の上方には透明樹脂製の蓋体２６が設けられている。また、受部材２０の接続部１１に対応する部分には受部材２０を凹所１９に取り付けた際に接続部１１を避けるように切欠部２７が設けられている。また、受部材２０の設置凹部２１，凹部２２，２３，２４の周囲には、段状部２８が設けられ、この段状部２８に蓋体２６の下端が密着することで蓋体２６が着脱自在に載置される。そして、蓋体２６で受部材２０を覆ったときに接続部１１も同時に覆われるように構成されている。また、この蓋体２６はドーム状に形成されており、受部材２０に載置した際、受部材２０に載置された液体容器８，コップ２５を完全に覆うように形成されている。
【００２５】
把持部５の回転軸４を囲んだ部分には掛部２９が形成されており、蓋体２６にはこの掛部２９と係合して装置本体１及び受部材２０に蓋体２６を固定するための係合部３０が形成されている。そして、把持部５を前方に倒した状態にしたときに掛部２９と係合部３０とは係合せずに蓋体２６は着脱自在であって、把持部５を略垂直に立てた状態にしたときに掛部２９と係合部３０とが係合し、装置本体１及び受部材２０に蓋体２６が固定されるようになっている。また、蓋体２６の上部には、蓋体２６を持ち上げるための把手部３１が形成されている。
【００２６】
なお、３２は、真空ポンプ６の動作・停止を操作するための操作パネルであり、真空ポンプ６には、商用電源から図示しないＡＣアダプターを経由して、直流電圧が供給されるようになっている。
【００２７】
次に、本実施形態の作用について説明する。まず使用者は、装置本体１に受部材２０，液体容器８を順に載置し、気体吸引路７を構成する外部吸引路７ａ，液体吸引路９を、接続部１１と液体容器８との間、及び液体容器８と歯ブラシ１０との間にそれぞれ接続する。このとき、接続部ジョイント１２を接続部１１に、液体容器ジョイント１３を気体吸引口１５に、液体容器ジョイント１６を液体吸引口１７に、それぞれ接続することで、外部吸引路７ａを液体容器８，接続部１１に簡単に接続、取り外しすることができると共に、液体吸引路９を液体容器８に簡単に接続、取り外しすることができる。そして、操作パネル３２を操作して、真空ポンプ６を動作させる。すると、歯ブラシ１０，液体吸引路９，液体容器８，気体吸引路７を経由して、外部の空気が吸引される。
【００２８】
歯ブラシ１０を用いて口腔内を洗浄すると、口腔内に溜まった唾液などの液体は、歯ブラシ１０のブラシの部分に設けられた図示しない孔から吸引され、液体吸引路９を経由して液体容器８へ回収される。なお、液体吸引口１７は、液体容器８内において気体吸引口１５よりも長く、即ち下方まで形成されており、液体吸引口１７から液体容器８へ回収された液体が気体吸引口１５へ吸引されることはない。
【００２９】
口腔内の洗浄終了後、液体容器８から液体容器ジョイント１３，１６を取り外し、接続部１１から接続部ジョイント１２を取り外すことで、液体吸引路９，外部吸引路７ａを取り外す。そして、受部材２０を装置本体１から取り外し、液体容器８を受部材２０に載置したままで、受部材２０ごと液体容器８を洗面所等へ持って行く。なお、液体容器８を運ぶ際、この液体容器８内に液体が入っているため、この液体容器８が揺れたり倒れたりした場合に液体容器８内の液体がこぼれてしまう虞があるが、前述したように、受部材２０の設置凹部２１に液体容器８を載置した状態で、液体容器８の重心が受部材２０の上面２０ａよりも低い位置となっているため、受部材２０を持って液体容器８を運ぶ際に液体容器８が揺れにくく倒れにくいので、液体容器８内の液体がこぼれないようにすることができる。また、仮に液体容器８を運んでいる際に誤って液体容器８内の液体をこぼしてしまったとしても、使用者が受部材２０を持っているので液体が手に触れて手が汚れてしまう虞を減少させることができるばかりでなく、前記受部材２０が貯水可能な器状に形成されているので、こぼれた液体が受部材２０に溜まることで床が汚れてしまう虞も減少させることができる。また、前述したように蓋体２６が受部材２０の段状部２８に載置されることから、蓋体２６を載せたまま受部材２０を運ぶことも可能であり、このように蓋体２６を載せたまま受部材２０を運んだ場合、液体容器８内の液体が誤ってこぼれて飛散しそうになったとしても、この液体の飛散が蓋体２６によって防がれることになる。
【００３０】
そして、洗面所等で液体容器８内の液体を捨てると共に、受部材２０及び液体容器８を洗浄する。このとき、前述したように、受部材２０の最下端２０ｂが略面一になっており、この最下端２０ｂによって規定される範囲の上方に受部材２０の重心があるように形成されているので、受部材２０を自立させておくことが可能であり、液体容器８内の液体を捨てたり液体容器２０や蓋体２６を洗ったりする時などに受部材２０を自立させておくことで、取扱性が向上する。また、洗浄後の受部材２０上に蓋体２６を載置しておくことで、洗浄後の受部材２０の載置凹部２１等が蓋体２６によって覆われる。
【００３１】
なお、使用者が本装置を複数の人に対して使用する場合など、一人に対して使用する度に液体容器８内の液体を捨てていたのでは非効率であることから、歯ブラシ１０の交換のみ行い、装置全体を運んで全ての被使用者に対して使用した後で液体容器８内の液体を捨するようにした方が効率的である。この場合、蓋体２６を受部材２０の段状部２８に載置して把持部５を回動させて略垂直の状態にすると、掛部２９と係合部３０とが係合し、装置本体１及び受部材２０に蓋体２６が固定されることになるので、把持部５を持って運搬するときに、仮に液体容器８内の液体がこぼれて飛散しそうになったとしても、こぼれた液体が受部材２０と蓋体２６で囲まれた空間から出ることがより確実に防止される。なお、前述したとおり、受部材２０は貯水可能な器状に形成されているので、こぼれた液体が設置凹部２１，凹部２２，２３，２４に留まって受部材２０外に漏れることはない。更に、仮に液体が受部材２０から瀕れたとしても、装置本体１の凹所１９もまた貯水可能に形成されているため、受部材２０から漏れた液体が凹所１９から装置本体１内に侵入することがない。なお、このように液体が凹所１９に漏れた場合、液体を拭き取ることで清浄にすることができるが、前述したとおり受部材２０が自立可能であるので、凹所１９を拭くために受部材２０を取り外す場合にも、取り外した受部材２０を自立させておくことで取扱性を向上させることができる。
【００３２】
以上のように、真空ポンプ６を有する装置本体１と、前記真空ボンプ６に接続される気体吸引路７と、この気体吸引路７に接続される液体容器８と、この液体容器８に接続される液体吸引路９とを有する液体吸引装置において、前記装置本体１に上方が開放した凹所１９を形成し、この凹所１９に受部材２０を着脱自在に取り付けると共に、この受部材２０に対して前記液体容器８を設置可能に構成したものであり、誤って液体容器８内の液体をこぼしてしまっても、液体が受部材２０或いは凹所１９に溜まるので、液体で床を汚してしまう虞を少なくすることができる。また、気体吸引路７を液体容器８から取り外すと共に受部材２０を装置本体１から取り外し、受部材２０を持って洗面所等まで行くことで、液体容器８内の液体が捨てられるので、この時に液体容器８から液体をこぼしてしまったとしても、手を汚さないようにすることができる。
【００３３】
また、前記気体吸引路７が、装置本体１に設けられた接続部１１と、前記真空ポンプ６と接続部１１を接続する内部吸引路と、前記接続部１１及び液体容器８を着脱自在に接続する外部吸引路７ａとで構成されているものであり、外部吸引路７ａを接続部１１に接続することで、液体容器８と真空ポンプ６を接続する気体吸引路７が形成されるので、外部吸引路７ａを接続することで、真空ポンプ６と液体容器８を簡単に接続することができるばかりでなく、外部吸引路７ａを取り外すことで、液体容器８を装置本体１から受部材２０ごと簡単に取り外すことができる。
【００３４】
また、前記受部材２０の上方を覆う蓋体２６を設けると共に、この蓋体２６で前記受部材２０を覆った際に、前記接続部１１も同時に覆われるように構成したものであり、非使用時に、外部吸引路７ａを接続部１１に接続した状態のまま、蓋体２６で液体容器８が覆われるので、真空ポンプ６と液体容器８を気体吸引路７で接続したまま蓋体２６を被せて保管、或いは一時保管することができる。
【００３５】
また、前記受部材２０が段状部２８を有し、前記受部材２０を凹所１９に取り付けた際に前記接続部１１を避けるように、前記段状部２８に切欠部２７を形成すると共に、前記蓋体２６が段状部２８に載るように構成したものであり、蓋体２６を受部材２０の段状部２８に載せることで、液体容器８が蓋体２６で覆われるため、蓋体２６を載せたまま受部材２０を持ち運ぶことができるので、液体容器８内の液体を誤ってこぼしてしまったとしても、液体が飛散することが蓋体２６によって防がれる。また、受部材２０を洗浄した後で蓋体２６を載せることで、受部材２０の設置凹部２１等及び液体容器８がほこりを被らないようにすることができる。
【００３６】
また、前記装置本体１に把持部５を設け、この把持部５に掛部２９を形成すると共に、この掛部２９と係合して前記装置本体１及び受部材２０に前記蓋体２６を固定するための係合部３０を前記蓋体２６に形成したものであり、把持部５に形成された掛部２９を蓋体２６の係合部３０と係合させることで、蓋体２６が装置本体１に固定されるので、この状態で液体容器８内の液体がこぼれたとしても、液体が飛散することをより確実に防止することができる。
【００３７】
また、前記受部材２０に前記液体容器８を設置する設置凹部２１を形成すると共に、この設置凹部２１に液体容器８を設置した際に液体容器８の重心が受部材２０の上面２０ａよりも下方となるように設置凹部２１の深さを設定したものであり、受部材２０を持って歩行した時に身体が揺れたとしても、設置凹部２１に設置された液体容器８の重心が受部材２０の上面２０ａよりも低いため液体容器８が揺れにくく、また、歩行によって衝撃が生じたとしても、液体容器８が倒れにくくなるので、液体容器８を運ぶ時にこの液体容器８から液体がこぼれてしまう虞をより少なくすることができる。
【００３８】
また、前記受部材２０を貯水可能な器状に形成したものであり、液体容器８から液体をこぼしてしまったとしても、このこぼれた液体が受部材２０によって受けられるので、液体容器８から液体がこぼれてしまったとしても、この液体で床或いは装置本体１を汚してしまう虞をより少なくすることができる。
【００３９】
更に、前記受部材２０の最下端２０ｂが略面一であると共に、受部材２０の最下端２０ｂによって規定される範囲の上方に重心があるように受部材２０を形成したものであり、受部材２０が自立可能であるので、液体容器８内の液体を捨てる際に一時的に受部材２０を置いておくことができ、取扱性を向上させることができる。
【００４０】
なお、本発明は以上の実施形態に限定されるものではなく、発明の要旨の範囲内で種々の変形が可能である。例えば、上記実施形態は口腔内の洗浄を行う装置であるが、液体吸引装置であればこれ以外の装置であっでもよい。また、上記各実施形態では、液体吸引路に歯ブラシを接続しているが、歯ブラシの代わりに吸引ノズルを接続してもよい。更に、上記実施形態では、接続部に対応して受部材に切欠部を形成したが、切欠部の代わりに接続部に対応した孔を形成してもよい。
【００４１】
【発明の効果】
本発明の請求項１に記載の液体吸引装置は、真空ポンプを有する装置本体と、前記真空ボンプに接続される気体吸引路と、この気体吸引路に接続される液体容器と、この液体容器に接続される液体吸引路とを有する液体吸引装置において、前記装置本体に上方が開放した凹所を形成し、この凹所に受部材を着脱自在に取り付けると共に、この受部材に対して前記液体容器を設置可能に構成したものであり、誤って液体容器内の液体をこぼしてしまっても、液体が受部材或いは凹所に溜まるので、液体で床を汚してしまう虞を少なくすることができる。また、気体吸引路を液体容器から取り外すと共に受部材を装置本体から取り外し、受部材を持って洗面所等まで行くことで、液体容器内の液体が捨てられるので、この時に液体容器から液体をこぼしてしまったとしても、手を汚さないようにすることができる。
【００４２】
また、本発明の請求項２に記載の液体吸引装置は、請求項１において、前記気体吸引路が、装置本体に設けられた接続部と、前記真空ポンプと接続部を接続する内部吸引路と、前記接続部及び液体容器を着脱自在に接続する外部吸引路とで構成されているものであり、外部吸引路を接続部に接続することで、液体容器と真空ポンプを接続する気体吸引路が形成されるので、外部吸引路を接続することで、真空ポンプと液体容器を簡単に接続することができるばかりでなく、外部吸引路を取り外すことで、液体容器を装置本体から受部材ごと簡単に取り外すことができる。
【００４３】
また、本発明の請求項３に記載の液体吸引装置は、請求項２において、前記受部材の上方を覆う蓋体を設けると共に、この蓋体で前記受部材を覆った際に、前記接続部も同時に覆われるように構成したものであり、非使用時に、外部吸引路を接続部に接続した状態のまま、蓋体で液体容器が覆われるので、真空ポンプと液体容器を気体吸引路で接続したまま蓋を被せて保管、或いは一時保管することができる。
【００４４】
また、本発明の請求項４に記載の液体吸引装置は、請求項３において、前記受部材が段状部を有し、前記受部材を凹所に取り付けた際に前記接続部を避けるように、前記段状部に切欠部を形成すると共に、前記蓋体が段状部に載るように構成したものであり、蓋体を受部材の段状部に載せることで、外部吸引路が接続された状態の液体容器が蓋体で覆われるので、真空ポンプと液体容器を気体吸引路で接続したまま蓋体を被せて保管、或いは一時保管することができるばかりでなく、蓋体を載せたまま受部材を持ち運ぶことができるので、液体容器内の液体を誤ってこぼしてしまったとしても、液体が飛散することが蓋体によって防がれる。また、受部材を洗浄した後で蓋体を載せることで、受部材の設置凹部等がほこりを被らないようにすることができる。
【００４５】
また、本発明の請求項５に記載の液体吸引装置は、請求項４において、前記装置本体に把持部を設け、この把持部に掛部を形成すると共に、この掛部と係合して前記装置本体及び受部材に前記蓋体を固定するための係合部を前記蓋体に形成したものであり、把持部に形成された掛部を蓋体の係合部と係合させることで、蓋体が装置本体に固定されるので、この状態で液体容器内の液体がこぼれたとしても、液体が飛散することをより確実に防止することができる。
【００４６】
また、本発明の請求項６に記載の液体吸引装置は、請求項１において、前記受部材に前記液体容器を設置する設置凹部を形成すると共に、この設置凹部に液体容器を設置した際に液体容器の重心が受部材の上面よりも下方となるように設置凹部の深さを設定したものであり、受部材を持って歩行した時に身体が揺れたとしても、設置凹部に設置された液体容器の重心が受部材の上面よりも低いため液体容器が揺れにくく、また、歩行によって衝撃が生じたとしても、液体容器が倒れにくくなるので、液体容器を運ぶ時にこの液体容器から液体がこぼれてしまう虞をより少なくすることができる。
【００４７】
また、本発明の請求項７に記載の液体吸引装置は、請求項１において、前記受部材を貯水可能な器状に形成したものであり、液体容器から液体をこぼしてしまったとしても、このこぼれた液体が受部材によって受けられるので、液体容器から液体がこぼれてしまったとしても、この液体で床或いは装置本体を汚してしまう虞をより少なくすることができる。
【００４８】
更に、本発明の請求項８に記載の液体吸引装置は、請求項１において、前記受部材の最下端が略面一であると共に、受部材の最下端によって規定される範囲の上方に重心があるように受部材を形成したものであり、受部材が自立可能であるので、液体容器内の液体を捨てる際に一時的に受部材を置いておくことができ、取扱性を向上させることができる。
【図面の簡単な説明】
【図１】本発明の実施形態を示す液体吸引装置の分解斜視図である。
【図２】同上、前後方向の縦断面図である。
【図３】同上、把持部を倒した状態を示す斜視図である。
【図４】同上、把持部を立てた状態を示す斜視図である。
【図５】同上、受部材の側面図である。
【符号の説明】
１　装置本体
５　把持部
６　真空ポンプ
７　気体吸引路
７ａ　外部吸引路
８　液体容器
９　液体吸引路
１１　接続部
１９　凹所
２０　受部材
２１　設置凹部
２６　蓋体
２７　切欠部
２８　段状部
２９　掛部
３０　係合部
【図１】
2004016736.tif 000003
【図２】
2004016736.tif 000004
【図３】
2004016736.tif 000005
【図４】
2004016736.tif 000006
【図５】
2004016736.tif 000007